(57)【特許請求の範囲】
【請求項１】
構築物の外壁に沿って昇降するゴンドラが備えるタラップ装置であって、
前記ゴンドラに水平方向の軸により回転可能に支持されて前記ゴンドラから水平方向に突出する態様と垂直方向に退避する態様をとることができる踏み板と、
一端を前記構築物の床面に接触させた状態で前記踏み板の先端縁に立てかけることができるタラップと、
前記タラップと前記踏み板を繋ぎ止める連結構造と、を有し、
前記連結構造は、タラップと前記踏み板を暫定的に繋ぎ止め、必要に応じて繋ぎ止めを解除できる着脱構造であり、前記踏み板に対して前記タラップを立てかける位置は横方向に調節可能であるゴンドラ用タラップ装置。
【請求項２】
前記連結構造は、前記タラップが有するフックと、前記踏み板が有する前記フックの掛け止め部と、を有してなる請求項１記載のゴンドラ用タラップ装置。
【請求項３】
前記タラップは、一対の縦木とこれらの縦木を連結する複数の横木を有してなり、一対の前記縦木はそれぞれ前記フックを有し、前記掛け止め部は、一対の前記縦木の前記フックを掛け止めることができる横棒を有する請求項２記載のゴンドラ用タラップ装置。
【請求項４】
前記横棒への前記フックの掛け止め位置は、前記横棒の長さ方向に調節可能である請求項３記載のゴンドラ用タラップ装置。
【請求項５】
前記フックは、前記縦木への取り付け位置を前記縦木の長さ方向に変更可能である請求項３記載のゴンドラ用タラップ装置。
【請求項６】
前記踏み板は、前記ゴンドラに固定した一対の柱が支持する前記水平方向の軸で回転可能に支持されて前記ゴンドラから突出する態様と退避する態様をとることができる請求項１乃至５のいずれかに記載のゴンドラ用タラップ装置。
【請求項７】
前記踏み板と前記一対の柱との間に介在し、前記踏み板の前記ゴンドラからの突出態様を維持する支持体をさらに有する請求項６記載のゴンドラ用タラップ装置。
【請求項８】
前記支持体は、一端部が互いに回転可能に連結された第１レバーと第２レバーを有し、前記第１レバーと第２レバーの一方の他端が前記柱に、前記第１レバーと第２レバーの他方の他端が前記踏み板にそれぞれ回転可能に連結されている請求項７記載のゴンドラ用タラップ装置。
【請求項９】
前記第１レバーと第２レバーは、相対角度をもった態様で相対回転が規制されることにより前記踏み板の突出態様を維持する請求項８記載のゴンドラ用タラップ装置。
【発明の詳細な説明】
【技術分野】
【０００１】
本発明は、ゴンドラ用タラップ装置に関するもので、特に作業用ゴンドラから建物のバルコニーやベランダなど（以下、代表して「バルコニー」という）に乗り込むのに適したものである。
【背景技術】
【０００２】
ビルの建設現場や外壁改修現場などでは、ビルの外壁に沿って昇降するゴンドラを使用し、ゴンドラからバルコニーの外壁を乗り越え、バルコニーに乗り移って作業する場合がある。
【０００３】
ゴンドラからバルコニーに乗り移るには、バルコニーの外壁を安全に乗り越えるとともにバルコニーに安全に降り立つ必要がある。そこで、バルコニーの外壁の上方に設置される踏み板と、踏み板からバルコニーに降りるためのタラップを有するタラップ装置が用いられる。
【０００４】
ビルの外壁に沿って昇降するゴンドラにおいてバルコニーに乗るために使用するタラップ装置は、ゴンドラとともに移動可能であり、かつ、使用するときの設置および作業終了時の撤収が容易であることが望まれる。また、タラップは、ゴンドラに積み込まれているとき、ゴンドラ内で占める空間がなるべく少なくなるように収納されることが望ましい。
【０００５】
本願発明に係るゴンドラ用タラップ装置に関連のある先行技術として、特許文献１、２および３に記載された技術がある。
【０００６】
これら各特許文献記載の発明はいずれも、仮設の足場からバルコニーに乗り移るためのタラップ、ステップあるいは足場に関するもので、工事期間中は固定的に設置されるものである。したがって、ゴンドラ用タラップ装置のように、ゴンドラが昇降するときはタラップがゴンドラに収納され、必要な場合はタラップを設置することが求められる用途には適していない。
【先行技術文献】
【特許文献】
【０００７】
【特許文献１】特開平１０-２７３９７０号公報
【特許文献２】特開平１１-７１８９５号公報
【特許文献３】実開平６-５９５２９号公報
【発明の概要】
【発明が解決しようとする課題】
【０００８】
本発明は、設置および撤収が容易で、不使用時はタラップをコンパクトに収納することができるゴンドラ用タラップ装置を提供することを目的とする。
【課題を解決するための手段】
【０００９】
本発明は、
構築物の外壁に沿って昇降するゴンドラに備えられるタラップ装置であって、
前記ゴンドラから水平方向に突出する態様と垂直方向に退避する態様をとることができる踏み板と、
一端を前記構築物の床面に接触させた状態で前記踏み板の先端縁に立てかけることができるタラップと、
前記タラップと前記踏み板を繋ぎ止める連結構造と、を有し、
前記連結構造は、タラップと前記踏み板を暫定的に繋ぎ止め、必要に応じて繋ぎ止めを解除できる着脱構造であることを最も主要な特徴とする。
【発明の効果】
【００１０】
本発明によれば、必要に応じて踏み板の突出態様と退避態様をとることができるとともに、踏み板に対してタラップを任意に着脱することができるため、設置および撤収が容易なゴンドラ用タラップ装置を提供することができる。
【図面の簡単な説明】
【００１１】
【図１】本発明に係るゴンドラ用タラップ装置の実施例であってその使用態様を示す側面図である。
【図２】前記実施例の平面図である。
【図３】前記実施例の正面図である。
【図４】前記実施例中の踏み板の突出態様を示す側面図である。
【図５】前記実施例中のタラップの平面図である。
【図６】前記タラップの正面図である。
【図７】前記タラップの側面図である。
【図８】前記タラップのフック結合部を示す平面図である。
【図９】前記タラップのフック結合部の側面図である。
【図１０】前記実施例中の踏み板の先端部分を示す側面図である。
【図１１】前記実施例中のゴンドラが有する支柱の上端部分の平面図である。
【図１２】前記支柱と前記踏み板との連結部を示す平面図である。
【発明を実施するための形態】
【００１２】
以下、本発明に係るゴンドラ用タラップ装置の実施例を、図面を参照しながら説明する。
【実施例】
【００１３】
[実施例の概略]
図１は、本発明に係るゴンドラ用タラップ装置の実施例の全体を概略的に示す。図１に示すゴンドラ１は、ビルの建設現場または外壁改修現場などで使用するゴンドラの例である。ゴンドラ１は、ビルやマンションなどの構築物の外壁に沿って昇降する。構築物は、外壁から突出したバルコニー７０を有し、また、ゴンドラ１の昇降をガイドするガイドレール８０を有している。
【００１４】
ガイドレール８０は、溝形の部材であって、この溝にゴンドラ1のガイドローラが嵌ることにより、ゴンドラ1の上下動をガイドしゴンドラの前後左右への揺れ止めをしている。バルコニー７０はビルの各階にある。バルコニー７０は先端縁に沿って立ち上がった壁７１を有する。
【００１５】
ゴンドラ１は、ゴンドラ１の上端部から構築物の方に向かって水平方向に突出する態様と垂直方向に退避する態様をとることができる踏み板３０を有する。ゴンドラ１はまたタラップ５０を有する。タラップ５０は、不使用時はゴンドラ１の所定の場所に収納される。タラップ５０は、下端が構築物の床面、例えば前記バルコニー７０の床面に接した状態で踏み板３０の先端縁に立てかけることができる。
【００１６】
タラップ５０と踏み板３０は、これらタラップ５０と踏み板３０を繋ぎ止める連結構造６０を有する。連結構造６０は、タラップ５０と踏み板３０を暫定的に繋ぎ止め、必要に応じて繋ぎ止めを解除できる着脱構造である。連結構造６０については後で具体的に説明する。
【００１７】
図１に示す例では、一つのバルコニー７０の前にゴンドラ１がある。ゴンドラ１からは踏み板３０がバルコニー７０に向かい水平方向に突出した態様にある。踏み板３０はバルコニー７０の壁７１の上方で壁７１を跨いでいる。踏み板３０の先端縁にタラップ５０が立て掛けられ、タラップ５０の下端がバルコニー７０の床面に接している。したがって、作業者は、踏み板３０とタラップ５０を伝ってゴンドラ１とバルコニー７０との間を行き来できる。
【００１８】
タラップ５０は踏み板３０との連結を外すことによってゴンドラ１の所定の収納位置に収納できる。踏み板３０は垂直方向に退避する態様をとることができる。したがって、タラップ５０の不使用時には、タラップ５０と踏み板３０をコンパクトに収納でき、ゴンドラ１の昇降に支障をきたすことはない。
【００１９】
次に、前記実施例のより詳細な構成について、図２以下を参照しながら説明する。
【００２０】
[ゴンドラの構成]
図２、図３において、ゴンドラ１は枠型の本体を有する。この枠型の本体は、平面形状が横長の長方形で、底板１１と、前後一対の上梁１２と、前後一対の中間梁１３と、左右両側の縦枠１４と、左右両側の側梁１５と、を有してなる。ゴンドラ１の本体の構造はこのような構造に限られるものではない。例えば、底板と前後左右の枠板で構成してもよい。ゴンドラ１の下部周囲は、載置物の脱落を防止するために幕板で囲まれている。
【００２１】
バルコニー７０の壁７１と対向するゴンドラ１の面を背面とすると、ゴンドラ１の背面側から一対の柱２０が平行に立ち上がっている。一対の柱２０は、その下部を適宜の連結部材を介して背面側の上梁１２および中間梁１３に結合することによってゴンドラ１に固定されている。一対の柱２０が踏み板３０を垂直面内において回転可能に支持している。
【００２２】
[踏み板の構成]
一対の柱２０は、図５、図６および図８に示すように、横断面形状が正方形の筒型である。図２〜図５に示すように、一対の柱２０はそれぞれ水平方向の支持軸２６の各端部を支持している。支持軸２６は、平面形状が四角形の踏み板３０の一端部を水平に貫き、踏み板３０を垂直面内において回転可能に支持している。踏み板３０は、一対の柱２０の間において支持軸２６を中心に回転可能である。支持軸２６は、図１２に示すように左右個別に設けられている。左右の支持軸２６は中心軸線が共通であり、共通の軸線を中心にして踏み板３０が回転する。
【００２３】
踏み板３０は、周囲を囲む枠材および適宜の中間の梁材と、その上面に溶接などによって固着されたワイヤメッシュ３４を主体として構成することにより、軽量化されている。ワイヤメッシュ３４は、金属製のワイヤを、縦横に一定間隔をおいて網状に配置し一体に結合したもので、踏み板３０の踏み面を形成している。この踏み面はワイヤメッシュ３４によって凹凸になっているため、滑り止め効果を奏する。
【００２４】
[踏み板支持体の構成]
踏み板３０の回転範囲は、柱２０と踏み板３０の間に介在している左右一対の支持体４０によって９０度の範囲に制限される。図４に示すように、各支持体４０は、第１レバー４１と第２レバー４２を有してなる。第１レバー４１と第２レバー４２はほぼ同じ長さになっていて、それぞれの一端部が連結軸４３によって互いに回転可能に連結されている。第１レバー４１の他方の端部は柱２０に前記支持軸２６の上方で軸２４により柱２０に回転可能に連結されている。第２レバー４２の他方の端部は軸２５によって踏み板３０の側面に連結されている。
【００２５】
第１レバー４１と第２レバー４２は、踏み板３０の回転面と平行な面において回転することができ、踏み板３０の回転に伴って相互の開き角度が変化する。踏み板３０が柱２０から突出する向きに回転するに従い第１レバー４１と第２レバー４２の開き角度が大きくなる。第１レバー４１と第２レバー４２は、踏み板３０、柱２０とともに一種のリンク機構を構成している。
【００２６】
踏み板３０が９０度回転して柱２０から水平に突出した態様で第１レバー４１と第２レバー４２の相対回転が規制され、踏み板３０の水平方向の突出態様が維持される。このように、第１レバー４１と第２レバー４２を有してなる支持体４０は、踏み板３０を水平方向の突出態様で支持する。
【００２７】
踏み板３０の突出態様では、第１レバー４１と第２レバー４２は、直線状に連続する態様に至る手前で、ある程度の相対角度をもって回転が規制される。したがって、踏み板３０を退避させようとするときは、支持軸２６を中心にして踏み板３０を垂直方向の姿勢に向かって回転させるだけで、第１レバー４１と第２レバー４２は互いに折りたたまれる。
【００２８】
踏み板３０は、突出した態様における踏み板３０の下面側にストッパ２３を有している。ストッパ２３は互いに直角な面を持つアングル状の部材で、互いに直角な面の一方は踏み板３０の下面に固着され、互いに直角な面の他方は踏み板３０の下面から直角に突出している。ストッパ２３は支持軸２６の近くにおいて踏み板３０に固着され、踏み板３０が前述のように突出した態様においてストッパ２３が柱２０に当たり、踏み板３０の回転を規制する。このようにして、ストッパ２３は支持体４０とともに踏み板３０の回転を規制する。
【００２９】
タラップ５０を使用しないときは踏み板３０も不要であり、そのときは支持軸２６を中心に踏み板３０を回転させて垂直方向に退避した態様にする。この退避態様では、踏み板３０が、一対の柱２０の前面同士および後面同士をつなぐことによって画される仮想的な空間内に踏み板３０が退避する。
【００３０】
踏み板３０が退避態様に向かって回転することに伴い、一対の支持体４０は、第１レバー４１と第２レバー４２が相互の開き角度を狭める向きに回転し、前述のように互いに折りたたまれる。踏み板３０が垂直方向に退避した態様になると、第１レバー４１と第２レバー４２も互いに重なって垂直方向の退避態様をとる。
【００３１】
図１、図３、図９に示すように、前記一対の柱２０の上端部にはそれぞれアイボルト２２が、円環部を背面側に突出させて固着されている。アイボルト２２は、作業者の落下防止のために、カラビナなどを介して命綱を連結するといった用途に利用される。
【００３２】
[タラップの構成]
図５乃至図７に示すように、タラップ５０は、一対の縦木５１とこれらの縦木５１を連結する複数の横木５２を有してなる。周知のとおり、作業者は、横木５２に足を乗せながら、また、縦木５１または横木５２に手を添えながら上り下りすることができる。一対の縦木５１は、それぞれフック５３を有している。
【００３３】
図６、図７などに示すように、タラップ５０を構成する横断面形状四角形で中空の縦木５１は、この縦木５１を取り囲むフック保持枠５４を有する。フック保持枠５４にはフック５３が半円形のフック部を下向きにして固着されている。フック保持枠５４は固定ねじ５５によって縦木５１に固定することができる。固定ねじ５５を緩めることによりフック保持枠５４の縦木５１への固定位置、したがって、縦木５１の長さ方向へのフック５３の取り付け位置を調整することができる。
【００３４】
図２、図１０などに示すように、踏み板３０は、その先端面から適宜の間隔をおいて先端面と平行に突出した横棒３２を有している。横棒３２は、タラップ５０が有する前記フック５３の掛け止め部になっている。横棒３２は、フック５３とともに、タラップ５０と踏み板３０を繋ぎ止める連結構造６０を構成している。横棒３２は、軽量化のために円筒状の部材からなる。ただし、横棒３２の形状は円筒状に限られるものではなく、円柱状の部材でも良いし、その他の棒状の部材であればよい。
【００３５】
フック５３は、タラップ５０を構成する一対の縦木５１にそれぞれ設けられているため、一対のフック５３は相互に所定の間隔を保っている。この間隔をａとする（図２参照）。横棒３２は、一対のフック５３を掛け止めるために、前記間隔ａよりも大きい長さになっている。この横棒３２の長さをｂとする。踏み板３０に対してタラップ５０を立てかける位置は、フック５３の相互間隔ａに対して横棒３２の長さｂの範囲内で横方向に調節可能である。
【００３６】
図示の実施例では、横棒３２は一つの棒材であるが、左右一対のフック５３をそれぞれ掛け止める左右の棒材に分けてもよい。
【００３７】
[タラップ装置の使用方法]
タラップ５０を使用しないとき、すなわちゴンドラ１を使用しないときまたはゴンドラ１を昇降させるときは、タラップ５０をゴンドラ１の所定に収納場所に収納する。また、踏み板３０を、一対の支柱２０の前後の面をつないで形成される仮想的な空間内に退避させた態様にする。このようなタラップ５０の収納態様および踏み板３０の退避態様でゴンドラ１を昇降させることができる。
【００３８】
ゴンドラ１を、目的とするバルコニー７０の前に停止させ、このバルコニー７０にゴンドラ１から乗り移ろうとする場合は、まず、踏み板３０を、図４に示すように、ゴンドラ１から水平方向に突出する態様にする。踏み板３０は、バルコニー７０の壁７１をその上方でまたぎ、この姿勢を支持体４０が維持する。
【００３９】
次に、タラップ５０をゴンドラ１から取り外し、タラップ５０の下端をバルコニー７０の床面に載せ、タラップ５０を踏み板３０の先端縁に立て掛ける。踏み板３０の立て掛け態様がずれないように、タラップ５０の一対の縦木５１に固着されているフック５３を、踏み板３０の先端の横棒３２に嵌め、タラップ５０を踏み板３０に暫定的に繋ぎ止める。
【００４０】
作業者は、踏み板３０とタラップ５０を経てゴンドラ１とバルコニー７０との間で乗り移ることができる。タラップ５０では、複数段に配置されている横木５２に足を乗せて昇降することができる。踏み板３０は、踏み面となる上面がワイヤメッシュ３４で凹凸面になっているため、作業者が踏み板３０を渡るときの滑り止めになる。また、タラップ５０の横木５２に足を乗せたときの安定性を高めるために、横木５２の踏み面の面積はなるべく大きいことが望ましく、図示の実施例では。横断面形状が四角形になっている。
【００４１】
タラップ５０の縦木５１は、踏み板３０に立て掛けた態様におけるフック５３の位置よりも上側が長く伸びていて、タラップ５０を上り下りするときの手すりとして利用できる。縦木５１を手すりとして利用する部分は伸縮式にし、不使用時は縮小させてタラップ５０が邪魔にならないようにするとよい。
【００４２】
[実施例に係るゴンドラ用タラップ装置の効果]
以上説明した実施例によれば、必要に応じて踏み板３０の突出態様と退避態様をとることができるとともに、踏み板３０に対してタラップ５０を連結構造によって任意に着脱することができる。そのため、タラップ５０の設置および撤収が容易であり、設置と撤収を頻繁に行う必要があるゴンドラ用タラップ装置としての利便性が高まる。
【００４３】
踏み板３０の横棒３２を円柱形または円筒形状にし、その外径とタラップ５０のフック５３のフック部の内径を互いに適した径にすることにより、横棒３２とフック５３とを安定に繋ぎ止めることができる。
【００４４】
［連結構造の変形例］
踏み板３０にタラップ５０を繋ぎ止めるための連結構造は、図示の実施例の構造に代えて、踏み板３０に設けたスリットにタラップ５０のフックを落とし込み、このフックを踏み板３０に繋ぎ止める構造にしてもよい。
【００４５】
［踏み板支持構造の変形例］
踏み板３０を水平方向の突出態様に維持する踏み板支持構造は、図示の実施例のようなリンク機構類似の構造に限られるものではない。例えば、レバーの一端を踏み板３０に回転可能に連結し、レバーの他端は柱２０の長さ方向に設けたスリットを移動できるようにし、スリットの下端でレバーの移動を規制したとき踏み板３０が水平方向の突出態様になるようにしてもよい。また、踏み板３０が水平方向の突出態様にあるとき、踏み板３０と柱２０をロッドによって繋ぎ止め、踏み板３０の水平態様を維持するようにしてもよい。
【００４６】
［全体の軽量化］
本発明装置は、全体を金属で制作することを想定しており、全体の重量が重くなりがちであることから、できるだけ軽量化する工夫をするのが望ましい。図示の実施例は軽量化のための工夫がなされている。そのほかの軽量化のための工夫として、例えば、軽い材質を選定する、荷重がかからない部分は肉抜きする、などが考えられる。
【産業上の利用可能性】
【００４７】
本発明の実施例に係るゴンドラ用タラップ装置は、新築中の構築物の外壁やバルコニー自体の工事、構築物の補修工事、バルコニーを経た人員や物資の移動などに利用することができる。本発明はまた、はしご車その他のゴンドラからバルコニーに乗り移るための装置としても利用可能である。
【符号の説明】
【００４８】
１    ゴンドラ
１４    縦枠
１５    側梁
２０    柱
２４    軸
３０    踏み板
３２    横棒
３４    ワイヤメッシュ
４０    支持体
４１    第１レバー
４２    第２レバー
４３    連結軸
５０    タラップ
５１    縦木
５２    横木
５３    フック
６０    連結構造
【要約】
【課題】設置および撤収が容易で、不使用時はタラップをコンパクトに収納することができるゴンドラ用タラップ装置を得る。
【解決手段】構築物の外壁に沿って昇降するゴンドラ１に備えられるタラップ装置。ゴンドラ１から水平方向に突出する態様と垂直方向に退避する態様をとることができる踏み板３０と、一端を構築物の床面に接触させた状態で踏み板３０の先端縁に立てかけることができるタラップ５０と、タラップ５０と踏み板３０を繋ぎ止める連結構造６０と、を有する。連結構造６０は、タラップ５０と踏み板３０を暫定的に繋ぎ止め、必要に応じて繋ぎ止めを解除できる着脱構造である。
【選択図】図１【図１】
0006722851.tif 000002
【図２】
0006722851.tif 000003
【図３】
0006722851.tif 000004
【図４】
0006722851.tif 000005
【図５】
0006722851.tif 000006
【図６】
0006722851.tif 000007
【図７】
0006722851.tif 000008
【図８】
0006722851.tif 000009
【図９】
0006722851.tif 000010
【図１０】
0006722851.tif 000011
【図１１】
0006722851.tif 000012
【図１２】
0006722851.tif 000013